(57)【要約】  【課題】  印字用紙等の対象物に設けられた無線タグに対して情報の書き込みや読み出しを簡単にすることのできるスタンプ作成装置を提供する。  【解決手段】  印影を形成する印面部４と、無線タグ１０１と通信する通信部１８と、無線タグ１０１に書き込む情報を記憶する記憶部１４とを有したスタンプ１を作成するスタンプ作成装置３１において、記憶部１４に記憶される書込用データ及び印面部４を形成する印面データを外部から入力するための外部インターフェースと、印面データに基づいて印面部４に印面を形成する印面形成部３６と、書込用データをスタンプ１に送信するスタンプ通信部８２とを備えた。【選択図】      図１０
2005212260.tif 000002
【特許請求の範囲】
【請求項１】
印影を形成する印面部と、無線タグと通信する通信部と、無線タグに書き込む情報を記憶する記憶部とを有したスタンプを作成するスタンプ作成装置であって、前記記憶部に記憶される書込用データ及び前記印面部を形成する印面データを入力するための入力手段と、前記印面データに基づいて前記印面部に印面を形成する印面形成部と、前記スタンプと通信を行うスタンプ用通信部とを備えたことを特徴とするスタンプ作成装置。
【請求項２】
前記書き込み情報に付加して前記記憶部から前記無線タグに書き込まれる付加情報を付加するか否かを指示する付加情報指示情報を入力可能にしたことを特徴とする請求項１に記載のスタンプ作成装置。
【請求項３】
前記付加情報は日付情報、時刻情報または書き込み回数情報から成ることを特徴とする請求項２に記載のスタンプ作成装置。
【請求項４】
前記スタンプ用通信部を介して前記記憶部に記憶された情報を読み出し可能にしたことを特徴とする請求項１〜請求項３のいずれかに記載のスタンプ作成装置。
【請求項５】
前記入力手段が、前記記憶部に記憶される書込用データ及び前記印面部を形成する印面データの少なくとも一方を外部から入力するための外部インターフェースで構成されていることを特徴とする請求項１〜請求項４のいずれかに記載のスタンプ作成装置。
【請求項６】
前記印面部に形成される印面に関連した前記書込用データを前記外部インターフェースを介して前記記憶部に送信することを特徴とする請求項５に記載のスタンプ作成装置。
【請求項７】
前記スタンプ用通信部は、前記印面部に印面を形成する際にスタンプが設置される設置部の近傍に配設されるとともに、前記スタンプに配設された通信インターフェースを介して前記スタンプと通信を行うことを特徴とする請求項１〜請求項６のいずれかに記載のスタンプ作成装置。
【発明の詳細な説明】
【技術分野】
【０００１】
本発明は、押圧により印影を形成するスタンプを作成するスタンプ作成装置に関する。
【背景技術】
【０００２】
近年、ＲＦＩＤ（Radio Frequency Identification）と呼ばれる無線タグを用い、非接触で情報の送受信を行う自動認識システムが使用されている。特許文献１にはこの無線タグを取り付けた印字用紙に印刷を行うプリンタが開示されている。このプリンタは印字用紙に印刷を行うとともに、印字用紙に設けられた無線タグに情報の書き込みを行う無線タグ通信装置になっている。これにより、印字用紙に印刷する際に無線タグにデジタルデータを記録し、例えばソフトウェアとマニュアルとを一体化して利便性を向上することができる。
【０００３】
また、同特許文献１にはこの無線タグを取り付けた印字用紙の複写を行う複写機やファクシミリ送信を行うファクシミリ装置が開示されている。この複写機及びファクシミリ装置は複写やファクシミリ送信を行う際に原稿の印字用紙に設けられた無線タグから情報を読み出す。そして、読み出した情報は、複製して出力される印字用紙の無線タグへ書き込まれる。また、複写やファクシミリ送信を行う際に操作者のＩＤ番号を原稿の印字用紙の無線タグに追加して書き込むこともできる。これにより、操作者の管理等を行うことができるようになっている。
【０００４】
一方、特許文献２には印字用紙等に押圧によって印影を形成するスタンプが開示されている。スタンプには印字用紙に押圧される印面部が設けられ、スタンプ作成装置によって印面部に印影の画像を印刷して印面が形成されるようになっている。
【特許文献１】特開２００２−３３７４２６号公報（第２頁−第７頁、第５図）
【特許文献２】特開２０００−９４８１４号公報（第４頁−第１１頁、第１７図）
【発明の開示】
【発明が解決しようとする課題】
【０００５】
しかしながら、上記従来のプリンタ、複写機、ファクシミリ装置等の無線タグ通信装置によると、印刷が完了した印字用紙の無線タグに情報を追加して書き込む場合に、複写やファクシミリ送信等の操作を行う必要があり、容易に書き込むことができない問題があった。また、無線タグに記憶された情報を容易に読み出すことができない問題もあった。
【０００６】
本発明は、印字用紙等の対象物に設けられた無線タグに対して情報の書き込みや読み出しを簡単にすることのできるスタンプ作成装置を提供することを目的とする。
【課題を解決するための手段】
【０００７】
上記目的を達成するために請求項１に係る発明は、印影を形成する印面部と、無線タグと通信する通信部と、無線タグに書き込む情報を記憶する記憶部とを有したスタンプを作成するスタンプ作成装置であって、前記記憶部に記憶される書込用データ及び前記印面部を形成する印面データを入力するための入力手段と、前記印面データに基づいて前記印面部に印面を形成する印面形成部と、前記スタンプと通信を行うスタンプ用通信部とを備えたことを特徴としている。
【０００８】
この構成によると、入力手段から書込用データ及び印面データが入力されると、印面形成部は印面データに基づいてスタンプの印面部に印影の画像を有した印面を形成する。また、スタンプ用通信部はスタンプと通信を行って書込用データをスタンプの記憶部に書き込む。記憶部の情報はスタンプを押印する際にスタンプに設けられた通信部によって無線タグに書き込まれる。
【０００９】
また請求項２に係る発明は、上記構成のスタンプ作成装置において、前記書き込み情報に付加して前記記憶部から前記無線タグに書き込まれる付加情報を付加するか否かを指示する付加情報指示情報を入力可能にしたことを特徴としている。この構成によると、入力手段から付加情報指示情報が入力され、付加情報指示情報がスタンプの記憶部に書き込まれる。スタンプを押印する際には付加情報指示情報に基づいて付加情報が無線タグに書き込まれる。
【００１０】
また請求項３に係る発明は、上記構成のスタンプ作成装置において、前記付加情報は日付情報、時刻情報または書き込み回数情報から成ることを特徴としている。
【００１１】
また請求項４に係る発明は、上記構成のスタンプ作成装置において、前記スタンプ用通信部を介して前記記憶部に記憶された情報を読み出し可能にしたことを特徴としている。この構成によると、無線タグとの通信によってスタンプの記憶部に記憶された情報はスタンプ用通信部により読み出され、パーソナルコンピュータ等により情報操作できる。
【００１２】
また請求項５に係る発明は、上記構成のスタンプ作成装置において、前記入力手段が、前記記憶部に記憶される書込用データ及び前記印面部を形成する印面データの少なくとも一方を外部から入力するための外部インターフェースで構成されていることを特徴としている。この構成によると、外部インターフェースを介してパーソナルコンピュータ等から書込用データ及び印面データが入力される。印面形成部は印面データに基づいてスタンプの印面部に印影の画像を有した印面を形成する。スタンプ用通信部は書込用データをスタンプの記憶部に書き込む。
【００１３】
また請求項６に係る発明は、上記構成のスタンプ作成装置において、前記印面部に形成される印面に関連した前記書込用データを前記外部インターフェースを介して前記記憶部に送信することを特徴としている。
【００１４】
また請求項７に係る発明は、上記構成のスタンプ作成装置において、前記スタンプ用通信部は、前記印面部に印面を形成する際にスタンプが設置される設置部の近傍に配設されるとともに、前記スタンプに配設された通信インターフェースを介して前記スタンプと通信を行うことを特徴としている。この構成によると、設置部にスタンプが設置されるとスタンプの通信インターフェースを介して無線または有線によってスタンプ用通信部とスタンプとの通信が可能になる。
【発明の効果】
【００１５】
請求項１に係る発明によると、スタンプの記憶部に記憶される書込用データ及び印面部を形成する印面データを入力するため入力手段と、印面データに基づいて印面部に印面を形成する印面形成部と、書込用データをスタンプに送信するスタンプ用通信部とを備えたので、入力手段により入力された書込用データをスタンプの記憶部に書き込み、スタンプを押印する際に印字用紙の無線タグに容易に情報を書き込むことができる。
【００１６】
また請求項２、３に係る発明によると、日付情報、時刻情報または書き込み回数情報等の付加情報指示情報を入力可能にしたので、付加情報の書き込みを容易に選択することができる。
【００１７】
また請求項４に係る発明によると、スタンプ用通信部を介してスタンプの記憶部に記憶された情報を読み出し可能にしたので、スタンプを設置して通信を行うことにより無線タグに記憶された情報を容易に読み出すことができる。
【００１８】
また請求項５に係る発明によると、書込用データ及び印面データを入力するための外部インターフェースを更に備えたので、パーソナルコンピュータ等の外部機器を用いて書込用データ及び印面データ入力することができ、パーソナルコンピュータ等で書込用データや印面データの作成や管理を容易に行うことができる。
【００１９】
また請求項６に係る発明によると、印面部に形成される印面に関連した書込用データを前記外部インターフェースを介して前記記憶部に送信するので、書込用データを容易に記憶部に書き込むことができ、パーソナルコンピュータ等で書込用データの作成や管理を容易に行うことができる。
【００２０】
また請求項７に係る発明によると、スタンプ用通信部は、印面部に印面を形成する際にスタンプが設置される設置部の近傍に配設されるとともに、スタンプに配設された通信インターフェースを介してスタンプと通信を行うので、スタンプを設置部に設置するだけで記憶部に対して情報の書き込みや読み出しを行うことができる。また、通信エラーを防止することができる。
【発明を実施するための最良の形態】
【００２１】
以下に本発明の実施形態を図面を参照して説明する。図１は第１実施形態の無線タグ通信装置の使用状態を示す斜視図である。本実施形態の無線タグ通信装置はスタンプ１から成っている。スタンプ１は印字用紙１００に押圧して使用される。図２に示すように印字用紙１００は文字１００ａ等の画像が印刷され、左上に無線タグ１０１が取り付けられている。スタンプ１の押圧によって図３に示すように印影１０２が形成される。この時、詳細を後述するように、無線タグ１０１には所定の情報が書き込まれるようになっている。
【００２２】
図４（ａ）は無線タグ１０１の一般的な構成を示すブロック図である。無線タグ１０１はコイルアンテナ１１０を有し、外部と通信可能になっている。コイルアンテナ１１０には復号化回路１１２及び符号化回路１１３が接続されており、交信周波数として１３ＭＨｚ帯、１２５ｋＨｚ帯が用いられる。復号化回路１１２及び符号化回路１１３は交信制御部１１４の制御によって送受信したデータの復号化及び符号化を行う。
【００２３】
また、無線タグ１０１は交信制御部１１４に制御されるメモリ１１６を有し、復号化したデータの格納を行う。格納されたデータは交信制御部１１４により取り出され、符号化して送信可能になっている。メモリ１１６はＥＥＰＲＯＭ等の不揮発性メモリで構成され、メモリ１１６に格納されたデータの内容を保持することができる。尚、コイルアンテナ１１０を介して受信した電力は電源部１１１に蓄えられ、符号化回路１１３、複合化回路１１２、交信制御部１１４、メモリ１１６に供給される。更に高い交信周波数として９００ＭＨｚ帯や２．４５ＧＨｚ帯を用いる場合は、図４（ｂ）に示すようにダイポールアンテナ１１８とダイオード等を用いた変復調回路１１５を介して通信を行う。
【００２４】
図５はスタンプ１の正面断面図を示している。スタンプ１はスカート部２及び把持部５から成る筐体９に印面部４が収容されている。スカート部２は印影形成時にスタンプ１全体を支持する。印面部４はスカート部２内で上下方向に摺動可能に保持され、印影を形成する画像が印刷された印面３が下面に設けられている。印面部４の印面３の背後にはインク６が貯溜されている。
【００２５】
把持部５は印影形成時に使用者が把持し、印面部４を印字用紙１００（図１参照）に押圧できるようになっている。把持部５の上部内壁にはスタンプ１を制御する制御部１２（図６参照）を有した回路基板１０が設けられて筐体９内に収容されている。回路基板１０には筐体９の上方から視認可能に把持部５の上部にＬＥＤ１１が配設されている。
【００２６】
図６はスタンプ１の構成を示すブロック図である。回路基板１０（図５参照）上には、上記ＬＥＤ１１、制御部１２の他、通信インターフェース１３、通信部１８及び電池１９が設けられている。制御部１２はスタンプ１の各部を制御してデータ通信やデータの書込みまたは読出し等を行う。
【００２７】
また制御部１２はメモリ１４、カウンタ部１５、クロック部１６及びカレンダー部１７を有している。メモリ１４（記憶部）は無線タグ１０１から読み出した情報や通信インターフェース１３を介して取り込まれた情報を格納する。カウンタ部１５は無線タグ１０１に情報を書き込んだ回数を計数する。クロック部１６は時間を計時して時刻情報を発生する。カレンダー部１７は日付情報を発生する。カウンタ部１５、クロック部１６及びカレンダー部１７はユーザ入力された情報に付加して無線タグ１０１に書き込む情報を生成する付加情報生成部を構成している。
【００２８】
ＬＥＤ１１は制御部１２の制御により点灯、消灯、点滅してスタンプ１の動作状態を報知する。ＬＥＤ１１等の照明の点灯以外にもブザー等の音声により動作状態を報知してもよい。通信インターフェース１３は把持部５の上面に露出可能に配置され、パーソナルコンピュータ６２や後述するスタンプ作成装置３１（図７参照）等の外部機器との間でデータ通信を行うことができるようになっている。通信インターフェース１３は無線によってデータ通信を行うものでもよい。
【００２９】
通信部１８には印面部４の下部の周囲に配されたアンテナ２１が接続され、制御部１２の制御によって無線タグ１０１（図１参照）との通信を行う。アンテナ２１はダイポールアンテナから成っている。電池１９はスタンプ１の各部に電力を供給する。尚、把持部５の下面には、印面部４の印面３と印字用紙１００（図１参照）との接触を検知する接触センサ２０が設けられている。接触センサ２０は押圧センサ等から成り、制御部１２に接続されている。
【００３０】
図７はスタンプ１の印面部４に印面３を形成するスタンプ作成装置を示している。スタンプ作成装置３１は装置本体３２にケーブル６３を接続する外部インターフェース８１（図１０参照）が設けられる。外部インターフェースに接続されたケーブル６３を介してパーソナルコンピュータ６２を装置本体３２に接続できるようになっている。装置本体３２にはフィルムマガジン装着口３３、印刷部３５、印面形成部３６、排出口３７が設けられる。
【００３１】
フィルムマガジン装着口３３は原稿フィルム３４を収納するフィルムマガジン６１を装着する。印刷部３５は原稿フィルム３４の印刷を行う。印面形成部３６はカバー３９で覆われ、原稿フィルム３４に印刷された画像に基づいてスタンプ１の印面３を形成する。排出口３７は原稿フィルム３４の排出を行う。また、装置本体３２の上面にはデータの入力操作や表示操作を行う操作部４０（入力手段）が設けられる。装置本体３２の側面にはキセノン管４９（図１０参照）を有する発光ユニット３８が着脱自在に設けられる。
【００３２】
図８は印面形成部３６の内部を示している。カバー３９を開くとスタンプ１を設置する設置部４３が露出する。設置部４３は下面に透明アクリル板から成るステージ４２が設けられている。ステージ４２の下方に発光ユニット３８（図７参照）のキセノン管４９（図１０参照）が配置されている。
【００３３】
カバー３９の内面には押圧板４４が設けられている。スタンプ１はステージ４２上に載置され、カバー３９を閉じることによって押圧板４４が把持部５を押圧する。これにより、印面部４がステージ４２に押しつけられ、印面３（図５参照）が所定量圧縮される。
【００３４】
また、カバー３９の裏面には接続端子４１が配置され、カバー３９を閉じることによって接続端子４１が通信インターフェース１３に接続される。これにより、スタンプ作成装置３１とスタンプ１との間でデータ通信を行うことができるようになっている。通信インターフェース１３を介してスタンプ作成装置３１とスタンプ１との間で無線による通信を行ってもよい。この時、後述するスタンプインターフェース制御回路８２（スタンプ用通信部）を設置部４３の近傍に配置することによって通信エラーを防止することができる。
【００３５】
図９はスタンプ作成装置３１の概略を示す側面断面図である。印刷部３５には、元巻ロール４５ａに巻設されて巻取ロール４５ｂにより巻き取られる熱転写リボン４６が配されている。熱転写リボン４６の上方にはサーマルヘッド４４が配され、下方にはプラテン４７が配される。サーマルヘッド４４とプラテン４７との間に搬送される原稿フィルムがサーマルヘッド４４の押圧によって熱転写リボン４６から熱転写され、所定の画像を形成できるようになっている。また、サーマルヘッド４４の下流側には一対の供給ローラ４８が設けられている。
【００３６】
図１０はスタンプ作成装置３１の構成を示すブロック図である。スタンプ形成装置３１の全体動作はＣＰＵ８０により制御される。ＣＰＵ８０には、外部インターフェース８１、スタンプインターフェース制御回路８２、サーマルヘッド制御回路８３、ＲＯＭ８４と、ＲＡＭ８５、ＥＥＰＲＯＭ８６、ステップモータ制御回路８７、キセノン管発光制御回路８８、液晶ディスプレイ５１、タイマ８９、操作部４０、フォトセンサ５２、５３が接続されている。
【００３７】
外部インターフェース８１（入力手段）はパーソナルコンピュータ６２とデータをやり取りする。スタンプインターフェース制御回路８２（スタンプ用通信部）はスタンプ１とデータをやり取りする。サーマルヘッド制御回路８３はサーマルヘッド４４を駆動制御する。ＲＯＭ８４は各種の制御処理プログラムが記憶され、制御処理プログラムに従ってＣＰＵ８０が各種の動作を行う。
【００３８】
ＲＡＭ８５にはＣＰＵ８０により演算された演算結果等が一時的に記憶される。ＥＥＰＲＯＭ８６には各種の設定情報等をユーザによる書き換え可能に記憶している。ステップモータ制御回路８７は原稿フィルム３４を搬送するためのステップモータ５０の駆動動作を制御する。キセノン管発光制御回路８８はキセノン管４９の発光を制御する。
【００３９】
液晶ディスプレイ５１は操作部４０の近傍に設けられ、スタンプ作成装置３１の動作状態をユーザに知らせる。タイマ８９はクロック信号発生装置（不図示）からのクロック信号を受信して、ＣＰＵ８０の命令に従って時間を計測する計時機能を有している。フォトセンサ５２、５３はスタンプ１の設置やカバー３９の閉成を検知する。
【００４０】
上記構成のスタンプ作成装置３１によるスタンプ１の印面形成及びスタンプ１とのデータ通信を行う動作を図１１のフローチャートを参照して説明する。パーソナルコンピュータ６２からスタンプ作成装置３１を動作させる命令を受けると、ステップ＃１１において印面形成を行うか否かが判断される。印面形成しない場合はステップ＃２２に移行する。
【００４１】
印面形成する場合はステップ＃１２に移行し、パーソナルコンピュータ６２から印面を形成するための画像データから成る印面データを受信する。ステップ＃１３ではキセノン管４９の発光用コンデンサ（不図示）に充電が開始される。ステップ＃１４ではサーマルヘッド４４及びステップモータ５０が駆動される。
【００４２】
ステップモータ５０により、巻取ロール４５ｂ、プラテン４７、供給ローラ４８が回転駆動され、原稿フィルム３４がサーマルヘッド４４とプラテン４７との間に送られる。原稿フィルム３４はサーマルヘッド４４とプラテン４７に挟まれて熱転写リボン４６に押圧される。そして、サーマルヘッド４４で熱転写リボン４６を溶融して、受信した印面データに従って原稿フィルムの上面にポジ原稿が印刷される。
【００４３】
ステップ＃１５では印刷された原稿フィルムが所定の製版位置に到達するようにステップモータ５０が駆動される。ステップ＃１６では原稿フィルムが正常に製版位置に到達したか否かが判断される。原稿フィルムが正常に製版位置に到達しなかった場合はスタンプ作成装置３１の動作を終了する。
【００４４】
原稿フィルムが正常に製版位置に到達した場合はステップ＃１７でタイマ８９により時間計時が開始される。ステップ＃１８ではタイマ８９の計時が所定時間経過したか否かが判断される。タイマ８９の計時が所定時間経過していない場合はステップ＃１９でスタンプ１が設置部４３に設置されたか否かがフォトセンサ５２により判断される。スタンプ１が設置部４３に設置されていない場合はステップ＃１８に戻る。
【００４５】
スタンプ１が設置部４３に設置された場合はステップ＃２０で発光用コンデンサの充電が完了したか否かが判断される。発光用コンデンサの充電が完了していない場合はステップ＃１８に戻る。そして、タイマ８９の計時が所定時間経過するまでの間にスタンプ１が設置部４３に設置され、発光用コンデンサの充電が完了するとステップ＃２１に移行する。これらが所定時間内に行われない場合はステップ＃１８の判断によりスタンプ作成装置３１の動作を終了する。
【００４６】
ステップ＃２１ではキセノン管発光回路８８に発光命令が出されてキセノン管４９の発光が行われる。これにより、スタンプ１の印面部４の印面３が製版され、所望の印面が形成される。
【００４７】
次に、ステップ＃２２では図１２に示す無線タグデータ通信処理が呼び出される。無線タグデータ通信処理は、無線タグ１０１に書き込むデータをスタンプ１に記憶させる動作と、無線タグ１０１から読み出してスタンプ１のメモリに格納されたデータを取り出す動作とを行うことができる。
【００４８】
無線タグデータ通信処理のステップ＃３１では設置部４３にスタンプ１が設置されているか否かが判別される。スタンプ１が設置されていない場合は無線タグデータ通信処理を終了する。ステップ＃３２ではスタンプ１のメモリ１４に対して書き込みを行うか読み出しを行うが判断される。
【００４９】
メモリ１４に対して書き込みを行う場合はステップ＃３３に移行し、無線タグ１０１に対して書き込む書込用データをパーソナルコンピュータ６２から受信する。書込用データは押印者の所属、氏名、権限等のデータから成る。ステップ＃３４ではスタンプ１のセットアップデータをパーソナルコンピュータ６２から受信する。
【００５０】
セットアップデータはカウンタ部１５により計数される書込回数のリセット、書込回数の開始値の指定、クロック部１６及びカレンダー部１７の時刻情報や日付情報のセット等のデータから成る。書込回数情報、時刻情報、日付情報等の付加情報は書込用データを無線タグ１０１に書き込む際に付加して書き込まれる。
【００５１】
また、印字用紙１００の複写時に無線タグ１０１に記憶されたデータの複写を許可することを指示するデータ、書込用データからデータを選択して書き込みを許可することを指示するデータ、書込用データを無線タグ１０１に書き込む際に付加情報を付加するか否かを指示するデータ（付加情報指示情報）もセットアップデータに含まれる。
【００５２】
ステップ＃３５では書込用データがスタンプ１のメモリ１４に転送される。ステップ＃３６ではセットアップデータがスタンプ１のメモリ１４に転送され、終了する。
【００５３】
メモリ１４に対して読み出しを行う場合はステップ＃３２の判断によりステップ＃３８に移行する。ステップ＃３８ではスタンプ１のメモリ１４からデータを読み出す。ステップ＃３９では読み出したデータがパーソナルコンピュータ６２に送信され、終了する。
【００５４】
尚、既に印面３に印面が形成されたスタンプ１を設置部４３に設置して、無線タグデータ通信処理を行うことによってメモリ１４に対するデータの書き込みや読み出しを行うことができる。また、無線タグデータ通信処理のプログラムをパーソナルコンピュータ６２にインストールすることにより、スタンプ１の通信インターフェース１３とパーソナルコンピュータ６２とを接続してメモリ１４に対するデータの書き込みや読み出しを行うことができる。また、スタンプ作成装置３１は操作部４０（入力手段）の操作によって液晶ディスプレイ５１にデータ表示して、パーソナルコンピュータ６２と接続しなくても図１１、図１２に示す動作を実行できるようになっている。
【００５５】
次に、スタンプ１の動作を図１３のフローチャートを参照して説明する。スタンプ１の制御部１２は接触センサ２０やカウンタ部１６、カレンダー部１７のみが動作可能なようにスリープ状態になっている。ステップ＃５１で接触センサ２０により印面部４の接触を検知するとステップ＃５２で制御部１２はスタンプ１全体を動作可能なウェイク状態になる。
【００５６】
ステップ＃５３では通信インターフェース１３の接続状況によってスタンプ作成装置３１やパーソナルコンピュータ６２等の外部機器とデータのやり取りを行うか否かが判断される。外部機器とデータ通信を行う場合はステップ＃７１に移行する。ステップ＃７１では前述の図１２の無線タグデータ通信処理に基づいて、外部機器からデータを受信してメモリ１４にデータが書き込まれる。また、メモリ１４からデータを読み出して外部機器に送信される。
【００５７】
尚、通信インターフェース１３を接続した際に制御部１２をウェイク状態にしてもよい。また、外部機器とのデータ通信を終了して接触センサ２０が非接触を検知した際に制御部１２はスリープ状態に移行するようになっている。
【００５８】
外部機器とデータ通信を行わない場合は、印字用紙１００に印影が形成され、印字用紙１００に取り付けられた無線タグ１０１と通信を行う。ステップ＃５４では無線タグ１０１を１個だけ検出したか否かが判断される。無線タグ１０１を複数検出すると、書き込み相手の無線タグ１０１の動作が不安定になるためステップ＃７７に移行し、ＬＥＤ１１を点滅する。その後、ステップ＃６４で所定時間経過を待機してステップ＃６５でＬＥＤ１１を消灯し、ステップ＃６６でスリープ状態に戻る。尚、無線タグ１０１を検出しない場合は所定時間経過後スリープ状態に戻るようになっている。
【００５９】
無線タグ１０１の検出が１個の場合はステップ＃５５に移行する。ステップ＃５５ではメモリ１４に記憶されたデータが読み出される。これにより、書込用データ及びセットアップデータが取り出される。
【００６０】
ステップ＃５６ではセットアップデータに基づいて無線タグ１０１にデータを書き込むか否かが判断される。データの書き込みのみ、読み出しのみ、書き込み及び読み出しを切り替える切替スイッチ２７をスタンプ１に設け、切替スイッチ２７の状態によりステップ＃５６の判断を行ってもよい。
【００６１】
無線タグ１０１にデータを書き込まない場合はステップ＃５９に移行する。無線タグ１０１にデータを書き込む場合はステップ＃５７に移行してメモリ１４から読み出したデータを通信部１８及びアンテナ２１を介して送信して無線タグ１０１に書き込む。これにより、セットアップデータに基づいて書込用データ及び付加情報が無線タグ１０１に書き込まれる。ステップ＃５８では無線タグ１０１に書き込まれたデータのベリファイを行い正常に書き込まれたか否かを判別する。
【００６２】
これにより、無線タグ１０１に押印者の承認情報、押印日時または押印回数等の情報を書き込むことができる。また、カタログ等に押印する場合には、販売店の電話番号、ＵＲＬ、メールアドレス、住所、担当者等の情報を書き込むことができる。
【００６３】
無線タグ１０１に正常に書き込まれなかった場合はステップ＃７６で書込回数を計数し、ステップ＃５７に戻って繰り返し書き込みが行われる。ステップ＃７６の判断により所定回数の書き込みを行っても正常に書き込まれなかった場合はステップ＃７７に移行する。ステップ＃７７ではＬＥＤ１１を点滅して書き込みが正常に行われなかったことを使用者に報知する。ＬＥＤ１１に替えて液晶パネルや有機ＥＬ等から成るディスプレイにより報知してもよい。そして、ステップ＃６４に移行する。ステップ＃６４で所定時間の経過を待機してステップ＃６５でＬＥＤ１１を消灯し、ステップ＃６６でスリープ状態に戻る。
【００６４】
ステップ＃５８で無線タグ１０１にデータが正常に書き込まれた場合はステップ＃５９に移行してセットアップデータに基づいて無線タグ１０１のデータの読み出しを行うか否かが判断される。無線タグ１０１のデータの読み出しを行わない場合はステップ＃６２に移行する。無線タグ１０１のデータの読み出しを行う場合はステップ＃６０で無線タグ１０１に記憶されたデータを受信する。これにより、どの書類にスタンプ１を押したかをスタンプ１側で管理することができる。
【００６５】
ステップ＃６１では受信したデータをメモリ１４に書き込む。ステップ＃６２では正常にデータ通信が終了したことを示すＬＥＤ１１を点灯する。これにより、正常に書き込みや読み出しが行われたことを使用者に報知する。尚、無線タグ１０１への書き込み時と同様に、無線タグ１０１のデータの読出しが正常に行えなかった場合にはＬＥＤ１１を点滅させるようにしてもよい。
【００６６】
ステップ＃６３ではカウンタ部１５の計数のインクリメント等を行って付加情報が更新される。ステップ＃６４では所定時間が経過するまで待機する。これにより、印面部４と印字用紙１００との離隔を待機する。そして、ステップ＃６５でＬＥＤ１１が消灯してステップ＃６６で制御部１２がスリープ状態になり、ステップ＃５１に戻る。
【００６７】
本実施形態によると、スタンプ１は印字用紙１００に印影１０２を形成すると無線タグ１０１と通信を行って情報の書き込みや読み出しを行う。従って、入力手段としての操作部４０や外部インターフェース８１を介して入力された情報をスタンプインターフェース制御回路８２（スタンプ通信部）によってスタンプ１の記憶部１４に送信することによって容易に無線タグ１０１に情報を書き込むことができる。このため、印影１０２と無線タグ１０１に書き込まれた情報とを対応付けてパーソナルコンピュータ６２やスタンプ作成装置３１により作成や管理を行うことができる。また、スタンプ１を設置部３６に設置することによって容易に無線タグ１０１に記憶された情報を読み出すことができる。
【図面の簡単な説明】
【００６８】
【図１】は、本発明の第１実施形態の無線タグ通信装置の使用状態を説明する図である。
【図２】は、本発明の第１実施形態の無線タグ通信装置の使用状態を説明する図である。
【図３】は、本発明の第１実施形態の無線タグ通信装置の使用状態を説明する図である。
【図４】は、無線タグの構成を示すブロック図である。
【図５】は、本発明の第１実施形態の無線タグ通信装置を示す正面断面図である。
【図６】は、本発明の第１実施形態の無線タグ通信装置の構成を示すブロック図である。
【図７】は、本発明の第１実施形態の無線タグ通信装置の印面を形成するスタンプ作成装置を示す斜視図である。
【図８】は、本発明の第１実施形態の無線タグ通信装置の印面を形成するスタンプ作成装置の印面形成部を示す斜視図である。
【図９】は、本発明の第１実施形態の無線タグ通信装置の印面を形成するスタンプ作成装置を側面断面図である。
【図１０】は、本発明の第１実施形態の無線タグ通信装置の印面を形成するスタンプ作成装置の構成を示すブロック図である。
【図１１】は、本発明の第１実施形態の無線タグ通信装置の印面を形成するスタンプ作成装置の動作を示すフローチャートである。
【図１２】は、本発明の第１実施形態の無線タグ通信装置の印面を形成するスタンプ作成装置の無線タグデータ通信処理の動作を示すフローチャートである。
【図１３】は、本発明の第１実施形態の無線タグ通信装置の動作を示すフローチャートである。
【符号の説明】
【００６９】
１    スタンプ
２    スカート部
３    印面
４    印面部
５    把持部
９    筐体
１０    回路基板
１１    ＬＥＤ
１２    制御部
１３    通信インターフェース
１４    メモリ
１５    カウンタ部
１６    クロック部
１７    カレンダー部
１８    通信部
２０    接触センサ
２１    アンテナ
３１    スタンプ作成装置
３５    印刷部
３６    印面形成部
３８    発光ユニット
３９    カバー
４０    操作部
４１    接続端子
４２    ステージ
４３    設置部
４４    サーマルヘッド
４６    熱転写リボン
６１    フィルムマガジン
６２    パーソナルコンピュータ
８１    ＰＣインターフェース制御回路
８２    スタンプインターフェース制御回路（スタンプ通信部）
１００    印字用紙
１０１    無線タグ
１０２    印影
【図１】
2005212260.tif 000003
【図２】
2005212260.tif 000004
【図３】
2005212260.tif 000005
【図４】
2005212260.tif 000006
【図５】
2005212260.tif 000007
【図６】
2005212260.tif 000008
【図７】
2005212260.tif 000009
【図８】
2005212260.tif 000010
【図９】
2005212260.tif 000011
【図１０】
2005212260.tif 000012
【図１１】
2005212260.tif 000013
【図１２】
2005212260.tif 000014
【図１３】
2005212260.tif 000015